(57)【要約】【課題】圧電素子および可動板、並びに圧電素子および支持部材の接着の少なくとも一方を好適に実現すること。【解決手段】液体噴射装置用アクチュエーターユニットは、液体室側ダイヤフラムの変形によって、室内容積が変動可能な液体室と、液体室から液体を噴射するための噴射管とを備えたノズルユニットに装着される。液体噴射装置用アクチュエーターユニットは、液体室側ダイヤフラムと接触する可動板と、伸縮方向の一端において可動板に接着され、可動板を変形させる圧電素子と、圧電素子の伸縮方向の他端において、圧電素子に接着された支持部材とを備える。可動板および圧電素子の接着、並びに圧電素子および支持部材の接着の少なくとも一方は、硬化した状態の接着剤よりも弾性率が大きい硬質材が混合されている硬質材入り接着剤によって実現されている。【選択図】図１１
2016176457.tif 000002
【特許請求の範囲】
【請求項１】
液体室側ダイヤフラムの変形によって室内容積が変動可能な液体室と、前記液体室から液体を噴射するための噴射管とを備えた液体噴射装置用ノズルユニットに装着される液体噴射装置用アクチュエーターユニットであって、
前記液体室側ダイヤフラムと接触する可動板と、
伸縮方向の一端において前記可動板に接触し、前記可動板を変形させる圧電素子と、
前記圧電素子の伸縮方向の他端において、前記圧電素子に接触した支持部材とを備え、
前記可動板および前記圧電素子の接触箇所、並びに前記圧電素子および前記支持部材の接触箇所の少なくとも一方は、硬化した状態の接着剤よりも弾性率が大きい硬質材が混合されている硬質材入り接着剤によって接着されている
液体噴射装置用アクチュエーターユニット。
【請求項２】
前記可動板は、ピストンと圧電素子側ダイヤフラムとを含み、
前記圧電素子側ダイヤフラムの一部は、前記圧電素子を収容したハウジングに固定されており、
前記ピストン及び前記圧電素子側ダイヤフラムは、互いに接触しており、
前記圧電素子と前記可動板との接着は、前記圧電素子と前記ピストンとの接着によって実現され、
前記液体室側ダイヤフラムと前記可動板との接触は、前記液体室側ダイヤフラムと前記圧電素子側ダイヤフラムとの接触によって実現される
請求項１に記載の液体噴射装置用アクチュエーターユニット。
【請求項３】
前記ピストン及び前記圧電素子側ダイヤフラムは、前記硬質材入り接着剤によって接着されている
請求項２に記載の液体噴射装置用アクチュエーターユニット。
【請求項４】
ダイヤフラムの変形によって、室内容積が変動可能な液体室と、
伸縮方向の一端において前記ダイヤフラムに接触し、前記ダイヤフラムを変形させる圧電素子と、
前記圧電素子の伸縮方向の他端において、前記圧電素子に接触した支持部材と、
前記液体室に供給された液体を、前記液体室から噴射するための噴射管とを備え、
前記ダイヤフラム及び前記圧電素子の接触箇所、並びに前記圧電素子および前記支持部材の接触箇所の少なくとも一方は、硬化した状態の接着剤よりも弾性率が大きい硬質材が混合されている硬質材入り接着剤によって接着されている
液体噴射装置用ハンドピース。
【請求項５】
液体を噴射するための噴射管を備えた液体噴射装置用ノズルユニットに装着される液体噴射装置用アクチュエーターユニットであって、
前記液体噴射装置用ノズルユニットに前記液体噴射装置用アクチュエーターユニットが装着された場合に、室内容積が変動可能な液体室を形成する可動板と、
伸縮方向の一端において前記可動板に接触し、前記可動板を変形させる圧電素子と、
前記圧電素子の伸縮方向の他端において、前記圧電素子に接触した支持部材と、を備え、
前記可動板および前記圧電素子の接触箇所、並びに前記圧電素子および前記支持部材の接触箇所の少なくとも一方は、硬化した状態の接着剤よりも弾性率が大きい硬質材が混合されている硬質材入り接着剤によって接着されている
液体噴射装置用アクチュエーターユニット。
【発明の詳細な説明】
【技術分野】
【０００１】
本発明は、液体の噴射に関する。
【背景技術】
【０００２】
積層型の圧電素子を利用した液体噴射装置が知られている（特許文献１）。特許文献１に開示された技術は、次のようなものである。圧電素子の一端は、可動板に固着している。この可動板とは、上板（ピストン）とダイヤフラムとをまとめた呼称である。圧電素子の他方の端部は底部（支持部材）に固着している。ダイヤフラムは、その周縁部が圧電素子を収容するハウジングに固着し、且つ、液体室を区画する。ダイアフラムは、圧電素子の駆動によって、液体室の容積を変動させる。
【先行技術文献】
【特許文献】
【０００３】
【特許文献１】特開２０１４−９５３５３号公報
【発明の概要】
【発明が解決しようとする課題】
【０００４】
上記先行技術の場合、圧電素子および可動板、並びに圧電素子および支持部材の固着について、詳細に検討されていない。例えば、接着剤によって実現されているのか、他の手法によって実現されているのかについて開示されていない。これらの固着は、圧電素子による液体室の容積変動に影響を与え得るのに加え、噴射される液体の圧力に影響を与え得る。本願発明は、上記先行技術を踏まえ、上記の固着の少なくとも何れかを、接着剤を用いて好適に実現することを解決課題とする。
【課題を解決するための手段】
【０００５】
本発明は、上記課題を解決するためのものであり、以下の形態として実現できる。
【０００６】
（１）本発明の一形態によれば、液体室側ダイヤフラムの変形によって室内容積が変動可能な液体室と、前記液体室から液体を噴射するための噴射管とを備えた液体噴射装置用ノズルユニットに装着される液体噴射装置用アクチュエーターユニットが提供される。この液体噴射装置用アクチュエーターユニットは；前記液体室側ダイヤフラムと接触する可動板と；伸縮方向の一端において前記可動板に接触し、前記可動板を変形させる圧電素子と；前記圧電素子の伸縮方向の他端において、前記圧電素子に接触した支持部材とを備え；前記可動板および前記圧電素子の接触箇所、並びに前記圧電素子および前記支持部材の接触箇所の少なくとも一方は、硬化した状態の接着剤よりも弾性率が大きい硬質材が混合されている硬質材入り接着剤によって接着されている。この形態によれば、可動板および圧電素子の接着、並びに圧電素子および支持部材の接着の少なくとも一方を、好適に実現できる。接着剤には硬質材が混合されているので、圧電素子が伸張しても、接着面同士の隙間が狭まりにくい。この結果、圧電素子の伸張によって、液体室の容積を効率良く減少させることができる。
【０００７】
（２）上記形態において、前記可動板は、ピストンと圧電素子側ダイヤフラムとを含み；前記圧電素子側ダイヤフラムの一部は、前記圧電素子を収容したハウジングに固定されており；前記ピストン及び前記圧電素子側ダイヤフラムは、互いに接触しており；前記圧電素子と前記可動板との接着は、前記圧電素子と前記ピストンとの接着によって実現され；前記液体室側ダイヤフラムと前記可動板との接触は、前記液体室側ダイヤフラムと前記圧電素子側ダイヤフラムとの接触によって実現されてもよい。この形態によれば、可動板を、ピストンと圧電素子側ダイヤフラムとに分けて形成できる。
【０００８】
（３）上記形態において、前記ピストン及び前記圧電素子側ダイヤフラムは、前記硬質材入り接着剤によって接着されてもよい。この形態によれば、圧電素子が収縮する際に、圧電素子側ダイヤフラムの追従性が良くなる。
【０００９】
本発明は、上記以外の種々の形態で実現できる。例えば、可動板を備える一方、液体室側ダイヤフラムを備えなくてもよい。この他、液体噴射装置用ノズルユニットと上記の液体噴射装置用アクチュエーターユニットとを含む液体噴射装置用ハンドピースや、この液体噴射装置用ハンドピースと液体供給装置とを含む液体噴射装置として実現できる。
【図面の簡単な説明】
【００１０】
【図１】液体噴射装置の概略構成図。
【図２】ハンドピースの斜視図（装着状態）。
【図３】ハンドピースの斜視図（分離状態）。
【図４】ノズルユニットを示す斜視図。
【図５】ハンドピースを示す断面図。
【図６】ジョイント部及びアクチュエーターユニットの拡大断面図（装着状態）。
【図７】ジョイント部及びアクチュエーターユニットの拡大断面図（分離状態）。
【図８】液体室付近の拡大断面図（装着状態）。
【図９】液体室付近の拡大断面図（分離状態）。
【図１０】液体室側ダイヤフラム及び圧電素子側ダイヤフラムの溶接についての図。
【図１１】駆動部を示す断面図。
【図１２】駆動部を示す断面図（変形例）。
【発明を実施するための形態】
【００１１】
初めに、図１〜図１０を用いて、液体噴射装置２０の概略を説明することで、液体の噴射機構および吸引機構について説明する。
【００１２】
図１は、液体噴射装置２０の構成を概略的に示す。液体噴射装置２０は、医療機関において利用される医療機器であり、患部に対して液体を噴射することによって、患部を切除する機能を有する。
【００１３】
液体噴射装置２０は、制御部３０と、アクチュエーター用ケーブル３１と、ポンプ用ケーブル３２、フットスイッチ３５と、吸引装置４０と、吸引チューブ４１と、液体供給装置５０と、ハンドピース１００（操作部）とを備える。
【００１４】
液体供給装置５０は、給水バッグ５１と、スパイク針５２と、第１〜第５コネクター５３ａ〜５３ｅと、第１〜第４給水チューブ５４ａ〜５４ｄと、ポンプチューブ５５と、閉塞検出機構５６と、フィルター５７とを備える。ハンドピース１００は、ノズルユニット２００と、アクチュエーターユニット３００とを備える。ノズルユニット２００は、噴射管２０５と、吸引管４００とを備える。
【００１５】
給水バッグ５１は、透明な合成樹脂製であり、内部に液体（具体的には生理食塩水）が充填されている。なお、本願では、水以外の液体が充填されていても、給水バッグ５１と呼ぶ。スパイク針５２は、第１コネクター５３ａを介して、第１給水チューブ５４ａに接続されている。給水バッグ５１にスパイク針５２が刺されると、給水バッグ５１に充填された液体が第１給水チューブ５４ａに供給可能な状態になる。
【００１６】
第１給水チューブ５４ａは、第２コネクター５３ｂを介して、ポンプチューブ５５に接続されている。ポンプチューブ５５は、第３コネクター５３ｃを介して、第２給水チューブ５４ｂに接続されている。チューブポンプ６０は、ポンプチューブ５５を、ステーターとローターとで挟み込んでいる。チューブポンプ６０は、内蔵するモーターの回転によって、複数のローラーを回転させることで、ポンプチューブ５５を扱（しご）く。このように扱かれることによって、ポンプチューブ５５内の液体は、第１給水チューブ５４ａ側から、第２給水チューブ５４ｂ側に送り出される。
【００１７】
閉塞検出機構５６は、第２給水チューブ５４ｂ内の圧力を測定することで、第１〜第４給水チューブ５４ａ〜５４ｄ内の閉塞を検出する。
【００１８】
第２給水チューブ５４ｂは、第４コネクター５３ｄを介して、第３給水チューブ５４ｃに接続されている。第３給水チューブ５４ｃにはフィルター５７が接続されている。フィルター５７は、液体に含まれる異物を捕集する。
【００１９】
第３給水チューブ５４ｃは、第５コネクター５３ｅを介して、第４給水チューブ５４ｄに接続されている。第４給水チューブ５４ｄは、ハンドピース１００に接続されている。第４給水チューブ５４ｄを通じてハンドピース１００に供給された液体は、アクチュエーターユニット３００の駆動によって、噴射管２０５の先端に設けられたノズル２０７から間欠的に噴射される。このように液体が間欠的に噴射されることによって、少ない流量で切除能力が確保できる。
【００２０】
噴射管２０５及び吸引管４００は、噴射管２０５を内管、吸引管４００を外管とする二重管を構成する。吸引チューブ４１は、ノズルユニット２００に接続されている。吸引装置４０は、吸引チューブ４１を通じて、吸引管４００内を吸引する。この吸引によって、吸引管４００の先端付近の液体や切除片などが吸引される。
【００２１】
制御部３０は、チューブポンプ６０と、アクチュエーターユニット３００とを制御する。具体的には、制御部３０は、フットスイッチ３５が踏まれている間、アクチュエーター用ケーブル３１と、ポンプ用ケーブル３２とを介して駆動信号を送信する。アクチュエーター用ケーブル３１を介して送信された駆動信号は、アクチュエーターユニット３００を駆動させる。ポンプ用ケーブル３２を介して送信された駆動信号は、チューブポンプ６０を駆動させる。よって、ユーザーがフットスイッチ３５を踏んでいる間は液体が間欠的に噴射され、ユーザーがフットスイッチ３５を踏んでいない間は液体の噴射が停止する。
【００２２】
図２及び図３は、ハンドピース１００の斜視図である。図２は、アクチュエーターユニット３００がノズルユニット２００に装着された状態（以下「装着状態」という）を示す。図３は、アクチュエーターユニット３００とノズルユニット２００とが分離された状態（以下「分離状態」という）を示す。
【００２３】
アクチュエーターユニット３００は、ノズルユニット２００に対して着脱できるように構成されている。アクチュエーターユニット３００がノズルユニット２００に対して装着されて、アクチュエーターユニット３００とノズルユニット２００とが一体となることで、ハンドピース１００として機能する。
【００２４】
ノズルユニット２００は、内部に液体が流れるので、手術毎に交換される。さらに、液体供給装置５０に含まれる構成要素のうち、内部に液体が流れるもの（給水バッグ５１、第１〜第４給水チューブ５４ａ〜５４ｄ、ポンプチューブ５５等）は、手術毎に交換される。アクチュエーターユニット３００は、液体に触れないので、滅菌処理や洗浄処理を施すことにより複数回の手術で使用できる。
【００２５】
ノズルユニット２００は、先述した噴射管２０５と吸引管４００とに加え、ハンドピースケース２１０と、ジョイント部２５０と、吸引力調整機構５００とを備える。ハンドピースケース２１０は、ユーザーに把持されるグリップとしての機能と、流路を内部に保持する機能とを有する。この流路とは、先述したように、噴射される液体および吸引される液体が流れる流路のことである。
【００２６】
吸引力調整機構５００は、ハンドピース１００に設けられており、孔５２２を備える。孔５２２の開口面積が変化すると、吸引管４００による吸引力が変化する（図５と共に詳述）。ジョイント部２５０は、ノズルユニット２００に対してアクチュエーターユニット３００を着脱するための部位である。
【００２７】
アクチュエーターユニット３００は、連結部３１０と駆動部３５０とを備える。連結部３１０は、アクチュエーター用ケーブル３１と駆動部３５０とを、機械的および電気的に連結している。駆動部３５０は、液体を間欠的に噴射するための駆動力を発生する。
【００２８】
図４は、ノズルユニット２００を示す斜視図である。図４は、吸引管４００がハンドピースケース２１０から取り外された状態を示す。ハンドピース１００は、吸引管４００が取り外された状態で使用されてもよい。吸引管４００が取り外された状態では、吸引管４００を用いた吸引はできないものの、噴射管２０５からの液体の噴射はできる。
【００２９】
吸引管４００は、凸部４１０を備える。凸部４１０は、吸引管４００をハンドピースケース２１０に装着するための部位である。
【００３０】
ハンドピースケース２１０には、図１と共に説明したように、第４給水チューブ５４ｄが接続されている。なお、図２及び図３は、視線の関係で、第４給水チューブ５４ｄを示していない。
【００３１】
図５は、ハンドピース１００を示す断面図である。第４給水チューブ５４ｄは、ハンドピースケース２１０内部でＵ字状に屈曲し、入口流路２４１に接続されている。入口流路２４１は、液体室２４０（図８、図９参照）を介して、噴射管２０５に通じている。
【００３２】
入口流路２４１の流路径は、噴射管２０５の流路径よりも小さい。このため、液体室２４０内の圧力が変動しても（後述）、液体室２４０内の液体が入口流路２４１に逆流することが抑制される。
【００３３】
ハンドピースケース２１０は、先端に凹部２１１を備える。吸引管４００の装着は、凸部４１０が凹部２１１に嵌合することで実現される。装着された吸引管４００は、吸引流路部２３０に通じている。吸引流路部２３０は、吸引力調整機構５００を介して、吸引チューブ４１に接続されている。
【００３４】
ユーザーは、孔５２２を利用して、吸引管４００による吸引力の調整ができる。具体的には、孔５２２が開放されている面積を小さくすれば、孔５２２から流入する空気の流量も小さくなるので、吸引管４００を介して吸引される流体（空気や液体等）の流量が大きくなる。つまり、吸引管４００による吸引力が大きくなる。逆に、孔５２２が開放されている面積を大きくすれば、孔５２２から流入する空気の流量も大きくなるので、吸引管４００による吸引力が小さくなる。通常、ユーザーは、孔５２２の開放面積の調整を、親指によって孔５２２を塞ぐ面積を調整することによって実現する。孔５２２が全く覆われていない状態では、吸引管４００による吸引力が微小になるように、又は吸引力が全く作用しないように、孔５２２の形状が設計されている。本実施形態においては、吸引管４００の流路面積が孔５２２の開口面積より大きいものの、吸引管４００の長さを孔５２２の長さよりも長くすることで吸引管４００の流路抵抗を孔５２２の流路抵抗よりも大きくしている。こうすることで孔５２２が全く覆われていない場合に、吸引管４００による吸引力を微小とすることができる。
【００３５】
図５に示すように、ハンドピースケース２１０に対して長手方向が定義される。長手方向とは、図５に示した断面内に含まれる方向であって、所定の姿勢の際の水平方向である。所定の姿勢とは、ユーザーが手の平を上に向けてから、その手でハンドピース１００を握った際の姿勢である。本実施形態における長手方向は、吸引流路部２３０の流路方向と一致する。吸引流路部２３０の流路方向とは、吸引流路部２３０が吸引力調整機構５００と接触している部位における吸引流路部２３０内の流れの方向である。
【００３６】
図６及び図７は、ジョイント部２５０及びアクチュエーターユニット３００付近を拡大して示す断面図である。図６は、装着状態を示す。図７は、分離状態を示す。
【００３７】
駆動部３５０は、ハウジング３５１と、固定部材３５３と、圧電素子３６０と、可動板３６１とを備える。ハウジング３５１は、円筒状の部材である。可動板３６１は、ピストン３６２と、駆動側ダイヤフラム３６４とを含む。
【００３８】
圧電素子３６０は、積層型圧電素子である。圧電素子３６０は、伸縮する方向がハウジング３５１の長手方向に沿うように、ハウジング３５１内に配置されている。本実施形態における圧電素子３６０は、ほぼ正四角柱形状であり、３．５ｍｍ四方で、高さが１８ｍｍである。
【００３９】
固定部材３５３は、ハウジング３５１の一端に固定されている。圧電素子３６０は、固定部材３５３に接着剤によって固定されている。
【００４０】
駆動側ダイヤフラム３６４の素材は、金属であり、具体的にはステンレス鋼であり、さらに具体的にはＳＵＳ３０４又はＳＵＳ３１６Ｌである。駆動側ダイヤフラム３６４は、圧電素子３６０のプリロード（後述）を実施するために厚めに形成される（例えば３００μｍ）。また、圧電素子３６０が金属製で、且つ厚めに形成されているので、ピストン３６２に押された際に、滑らかに湾曲する。このため、装着状態において、液体室側ダイヤフラム２６０も滑らかに変形させることができる。
【００４１】
駆動側ダイヤフラム３６４は、ハウジング３５１の他端を覆うように配置され、ハウジング３５１に溶接によって固定されている。
【００４２】
ピストン３６２は、圧電素子３６０の一端に接着剤によって固定されていると共に、駆動側ダイヤフラム３６４に接触するように配置されている。ピストン３６２は、異なる径の円柱が、同心円として積層したような形状をしている。小さい径の方が、駆動側ダイヤフラム３６４と接触している。このため、駆動側ダイヤフラム３６４は、端の方が押されず、溶接箇所には大きな力が作用しないようになっている。ピストン３６２及び駆動側ダイヤフラム３６４は、接着剤等によって固定されてはおらず、接触しているのみである。
【００４３】
ハウジング３５１の外周には、雄ネジ部３５１ａが設けられている。分離状態から装着状態への移行は、雄ネジ部３５１ａを、ジョイント部２５０に設けられた雌ネジ部２５３に締め付けることで実現される。
【００４４】
連結部３１０は、第１ケース３１１と、第２ケース３１２と、第３ケース３１３と、保持部材３１４と、金属板３１５と、第１ネジ３１６と、第２ネジ３１７と、第３ネジ３１８とを備える。なお金属板３１５は中継基板３１５と言い換えることもできる。
【００４５】
第１ケース３１１は、第１ネジ３１６によって、固定部材３５３に固定されている。第２ケース３１２は、第２ネジ３１７と第３ネジ３１８とによって、第１ケース３１１に固定されている。２枚の金属板３１５は、第１ケース３１１内に挿入（収容）されている。
【００４６】
保持部材３１４は、アクチュエーター用ケーブル３１の端部付近に加締められることによって固定されている。第３ケース３１３は、第２ケース３１２と保持部材３１４とを連結するための部材である。第３ケース３１３は、保持部材３１４の外径が膨らんだ部位を引っ掛けた状態で、第２ケース３１２に固定されている。
【００４７】
アクチュエーター用ケーブル３１は、上記のように固定された状態で、２枚の金属板３１５と導通するように接続される。金属板３１５は、圧電素子３６０の正極、負極それぞれに、配線（図示しない）によって接続される。
【００４８】
圧電素子３６０は、アクチュエーター用ケーブル３１、金属板３１５及び上記の配線を介して入力される駆動信号に応じて伸縮する。圧電素子３６０が伸縮すると、ピストン３６２が圧電素子３６０の長手方向に振動する。ピストン３６２が振動すると、駆動側ダイヤフラム３６４は、この振動に追従して変形する。
【００４９】
圧電素子３６０は、伸縮を適切に実施するために、プリロードされた状態で組み付けられている。プリロードされた状態とは、圧電素子３６０が駆動側ダイヤフラム３６４に向けて押しつけられ、圧電素子３６０が伸縮方向に圧縮された状態のことである。プリロードの荷重は、圧電素子３６０の最大発生力の１０〜５０％であり、具体的には４０〜２００Ｎである。このため、圧電素子３６０に駆動信号が入力されていない状態においても、駆動側ダイヤフラム３６４は、ピストン３６２を介して、圧電素子３６０から力を受ける。駆動側ダイヤフラム３６４が金属製で、液体室側ダイヤフラム２６０よりも厚く形成されているのは、プリロードを保持するためである。
【００５０】
上記のように駆動側ダイヤフラム３６４が変形しているため、駆動側ダイヤフラム３６４は、ピストン３６２と接着されていなくても、圧電素子３６０の収縮に追従して変形できる。
【００５１】
図８及び図９は、液体室２４０付近を拡大して示す断面図である。図８は、装着状態を示す。図９は、分離状態を示す。
【００５２】
ジョイント部２５０の内部には、液体室２４０が設けられている。液体室２４０は、窪み２４４に、液体室側ダイヤフラム２６０が覆い被さることで形成される。窪み２４４は、ジョイント部２５０において、薄く円形状に窪んだ部位である。液体室側ダイヤフラム２６０は、圧電素子３６０の伸縮に応じて変形しやすいように、駆動側ダイヤフラム３６４よりも薄く形成される（例えば５０〜１００μｍ）。液体室側ダイヤフラム２６０は、直径が１３〜１５ｍｍであり、ジョイント部２５０に溶接によって固定されている。溶接位置は、図９に示される溶接Ｙ１として示されている。液体室側ダイヤフラム２６０の素材は、金属であり、具体的にはステンレス鋼であり、さらに具体的にはＳＵＳ３０４又はＳＵＳ３１６Ｌである。
【００５３】
図８に示すように、液体室側ダイヤフラム２６０及び駆動側ダイヤフラム３６４は、装着状態において接触する。このため、先述したように駆動側ダイヤフラム３６４が変形すると、液体室側ダイヤフラム２６０も同様に変形する。
【００５４】
駆動側ダイヤフラム３６４が変形すると、液体室２４０の容積が変動する。この変動によって、液体室２４０内に満たされた液体の圧力が変動する。液体室２４０内の圧力が低下した際には、入口流路２４１から液体が液体室２４０に流入する。液体室２４０内の圧力が上昇した際には、液体が液体室２４０から噴射管２０５に流出する。噴射管２０５に流出した液体は、噴射管２０５の先端から噴射される。液体室２４０内の圧力が上昇するのは間欠的なので、噴射管２０５からの液体の噴射は間欠的に実施される。
【００５５】
上記のように、液体室側ダイヤフラム２６０及び駆動側ダイヤフラム３６４は、一体となって変形する。つまり、液体室側ダイヤフラム２６０及び可動板３６１は、一体となって変形する。図８に示された符号４６０は、このように一体となって変形する液体室側ダイヤフラム２６０と可動板３６１とを合わせた合成ダイヤフラム４６０を示す。合成ダイヤフラム４６０は、装着状態において、１つのダイヤフラムと捉えることができる。
【００５６】
図１０は、液体室側ダイヤフラム２６０及び駆動側ダイヤフラム３６４の溶接について説明するための図である。ハウジング３５１には、図１０に示すように面取り３５１ｂが設けられている。面取り３５１ｂは、液体室側ダイヤフラム２６０を固定する溶接Ｙ１とハウジング３５１とが干渉しないように設けられている。
【００５７】
図１０に示すように、ハウジング３５１の先端は、駆動側ダイヤフラム３６４の先端よりも寸法Ｃだけ引っ込んでいる。この結果、装着状態において、液体室側ダイヤフラム２６０とハウジング３５１との間にクリアランスが発生する。駆動側ダイヤフラム３６４を固定する溶接Ｙ２の溶接痕が、このクリアランスに位置するように、溶接を実施することで、溶接Ｙ２と液体室側ダイヤフラム２６０との干渉が回避されている。
【００５８】
図１０に示された符号２５５は、他の形態において設けられる逃がし部２５５を示す。本実施形態では、図８，図９等に示すように、逃がし部２５５は設けられていない。逃がし部２５５は、ジョイント部２５０の内周において、壁が内部に向かってえぐれた部位である。逃がし部２５５を設けることによって、雌ネジ部２５３の加工が容易になる。
【００５９】
以下、圧電素子３６０の接着について説明する。
【００６０】
図１１は、駆動部３５０を示す断面図である。圧電素子３６０は、先述したように、支持部材３５３及びピストン３６２に対して、接着剤によって固定されている。この接着剤は、図１１に示された硬質材入り接着剤３７０である。硬質材入り接着剤３７０は、接着剤３７１に、多数の硬質材３７２を混ぜ合わせたものである。接着剤３７１と硬質材３７２との混合比率（質量比）は、１０：１である。
【００６１】
本実施形態における接着剤３７１は、エポキシ系である。接着剤３７１の硬化後の貯蔵弾性率は、２５℃で２．７７ＧＰａである。
【００６２】
本実施形態における硬質材３７２は、シリカ（石英ガラス）製であり、弾性率が７２ＧＰａであり、ほぼ真球形状で直径が１０μｍである。硬質材３７２の直径は、ほぼ均一であると見なすことができる程度に、ばらつきが小さい。本実施形態では、硬質材３７２として、日揮触媒化成株式会社によって製造された真絲球を用いた。
【００６３】
支持部材３５３及び圧電素子３６０の接着時、並びに圧電素子３６０及びピストン３６２の接着時には、接着面同士を押しつけながら接着剤３７１を硬化させる。支持部材３５３及び圧電素子３６０の接着、並びに圧電素子３６０及びピストン３６２の接着は、同時に実行してもよいし、別々に実行してもよい。支持部材３５３、圧電素子３６０及びピストン３６２の接着面は、何れも平面である。
【００６４】
硬質材３７２は、先述したように真球形状なので、接着面同士が押しつけられると一層に配列し、接着面にほぼ接触する。このため、接着面同士の隙間が、硬質材３７２の直径にほぼ等しくなる。「ほぼ接触している」とは、硬質材３７２と接着面との間に存在する接着剤３７１の厚みが微小であることを意味している。このため、硬質材３７２が存在していない部位においては、接着剤３７１の厚みが、硬質材３７２の直径分、確保されることによって接着力が良好になる。
【００６５】
さらに、硬質材３７２の直径がほぼ均一であるため、接着面同士は、ほぼ平行になる。この結果、支持部材３５３、圧電素子３６０及びピストン３６２を、ほぼ真っ直ぐに配列させることができる。
【００６６】
硬質材３７２は、先述したように接着剤３７１に比べて弾性率が高く、且つ、接着面にほぼ接触している。このため、圧電素子３６０が伸張する際、接着剤３７０に負荷される圧縮力の大部分は、硬質材３７２に負荷される。
【００６７】
硬質材３７２は、弾性率が高いので、圧電素子３６０の伸張による圧縮力を受けても、あまり変形しない。この結果、圧電素子３６０の伸張は、液体室側ダイヤフラム２６０と圧電素子側ダイヤフラム３６４とを効率良く変形させ、ひいては、液体室２４０の容積を効率良く縮小させる。この結果、間欠噴射による切除能力が確保される。
【００６８】
本発明は、本明細書の実施形態や実施例、変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、あるいは、先述の効果の一部又は全部を達成するために、適宜、差し替えや、組み合わせを行うことができる。その技術的特徴が本明細書中に必須なものとして説明されていなければ、適宜、削除できる。例えば、以下のものが例示される。
【００６９】
図１２は、駆動部３５０ａを示す断面図である。駆動部３５０ａは、実施形態で説明した駆動部３５０の代わりに用いられる。駆動部３５０ａは、駆動部３５０と異なり、ピストン３６２と圧電素子側ダイヤフラム３６４とが、接着剤３７０によって接着されている。さらに、駆動部３５０ａは、駆動部３５０と異なり、圧電素子３６０がプリロードされずに組み付けられている。このような構成でも、圧電素子側ダイヤフラム３６４を圧電素子３６０の収縮に対する追従性を良好にできる。
【００７０】
硬質材の素材は、硬化した状態の接着剤よりも弾性率が高ければ、どのようなものでもよい。例えば、鉄やアルミニウム等の金属でもよい。
【００７１】
硬質材入り接着剤による接着は、可動板および圧電素子の接着、並びに圧電素子と支持部材の接着の何れか一方でもよい。硬質材入り接着剤によらない接着は、硬質材が混合されていない接着剤によって実現されてもよいし、接着されていなくてもよい。
【００７２】
支持部材の接着面に、接着前の圧電素子を位置決めするための構造を設けてもよい。この構造として、例えば、円形の窪みを設けてもよい。この円の直径は、圧電素子の端面の対角線よりも僅かに大きい値にする。
【００７３】
ピストンは、円柱形状でもよい。つまり、ピストンは、単一の径による円柱として形成されてもよい。
ピストンは、無くてもよい。この場合、圧電素子側ダイヤフラムのみで可動板が構成されることになる。
【００７４】
ダイヤフラムは、１枚でもよいし、３枚以上でもよい。ダイヤフラムを１枚にする場合、液体室側ダイヤフラムを廃止してもよいし、駆動側ダイヤフラムを廃止してもよい。例えば液体室側ダイヤフラムを廃止する場合、液体室は、分離状態においては形成されない一方、装着状態においては形成されてもよい。具体的には、分離状態から装着状態に移行する際、駆動側ダイヤフラムが窪みに覆い被さることで、駆動側ダイヤフラムと窪みとによって区画された空間として、液体室が形成されてもよい。
【００７５】
或いは、ダイヤフラムを１枚にする場合、ノズルユニットとアクチュエーターユニットとが一体に構成されていてもよい。このように一体となって構成されたものを、アクチュエーターユニットと捉えてもよいし、ハンドピースと捉えてもよい。
ダイヤフラムが１枚の場合、このダイヤフラムとピストンとで合成ダイヤフラムが構成される。別の形態としてピストンが無ければ、１枚のダイヤフラムが、実施形態における合成ダイヤフラムに相当する。
【００７６】
圧電素子をプリロードし、且つ、ピストンと圧電素子側ダイヤフラムとを接着剤によって接着してもよい。
【００７７】
噴射する液体は、純水でもよいし薬液でもよい。
液体噴射装置は、医療機器以外に利用されてもよい。
例えば、液体噴射装置は、噴射した液体によって汚れを除去する洗浄装置に利用されてもよいし、噴射した液体によって線などを描く描画装置に利用されてもよい。
【００７８】
実施形態においてはアクチュエーターとして圧電素子を用いる構成を採用したが、光メーザーを用いて液体を噴射する構成や、ポンプ等により液体を加圧し、液体を噴射する構成を採用してもよい。光メーザーを用いて液体を噴射する構成とは、光メーザーを液体に照射して液体中に気泡を発生させ、この気泡の発生によって引き起こされる液体の圧力上昇を利用する構成である。
【００７９】
実施形態においては間欠的に液体を噴射する構成を採用したが、連続的に液体を噴射する機能を備えた構成を採用してもよい。例えば、間欠的な噴射と連続的な噴射とを使い分けることができる構成でもよい。実施形態のハードウエア構成を利用して連続的な噴射を実施するために、アクチュエーターの駆動を停止または低下させた状態でチューブポンプのみを駆動させてもよい。この構成の場合、間欠的な噴射を切除のために実施し、連続的な噴射を洗浄のために実施してもよい。
或いは、連続的な噴射のみが実施できる構成でもよい。この構成の場合、連続的な噴射によって切除を実施してもよい。
【符号の説明】
【００８０】
２０…液体噴射装置
３０…制御部
３１…アクチュエーター用ケーブル
３２…ポンプ用ケーブル
３５…フットスイッチ
４０…吸引装置
４１…吸引チューブ
５０…液体供給装置
５１…給水バッグ
５２…スパイク針
５３ａ…第１コネクター
５３ｂ…第２コネクター
５３ｃ…第３コネクター
５３ｄ…第４コネクター
５３ｅ…第５コネクター
５４ａ…第１給水チューブ
５４ｂ…第２給水チューブ
５４ｃ…第３給水チューブ
５４ｄ…第４給水チューブ
５５…ポンプチューブ
５６…閉塞検出機構
５７…フィルター
６０…チューブポンプ
１００…ハンドピース
２００…ノズルユニット
２０５…噴射管
２０７…ノズル
２１０…ハンドピースケース
２１１…凹部
２３０…吸引流路部
２４０…液体室
２４１…入口流路
２４４…窪み
２５０…ジョイント部
２５３…雌ネジ部
２５５…逃がし部
２６０…液体室側ダイヤフラム
３００…アクチュエーターユニット
３１０…連結部
３１１…第１ケース
３１２…第２ケース
３１３…第３ケース
３１４…保持部材
３１５…金属板
３１６…第１ネジ
３１７…第２ネジ
３１８…第３ネジ
３５０…駆動部
３５０ａ…駆動部
３５１…ハウジング
３５１ａ…雄ネジ部
３５３…固定部材
３６０…圧電素子
３６１…可動板
３６２…ピストン
３６４…圧電素子側ダイヤフラム
３７０…硬質材入り接着剤
３７１…接着剤
３７２…硬質材
４００…吸引管
４１０…凸部
４６０…合成ダイヤフラム
５００…吸引力調整機構
５２２…孔
【図１】
2016176457.tif 000003
【図２】
2016176457.tif 000004
【図３】
2016176457.tif 000005
【図４】
2016176457.tif 000006
【図５】
2016176457.tif 000007
【図６】
2016176457.tif 000008
【図７】
2016176457.tif 000009
【図８】
2016176457.tif 000010
【図９】
2016176457.tif 000011
【図１０】
2016176457.tif 000012
【図１１】
2016176457.tif 000013
【図１２】
2016176457.tif 000014